(57)【要約】【課題】広告配信を受けるユーザの操作の煩雑性を解消すると共に広告配信の効率化を図る、広告配信装置を提供する。【解決手段】ネットワークを介して接続されたユーザの情報処理端末に広告データを配信する広告配信装置であって、予め設定されたユーザ属性情報と、顔画像情報から抽出される顔特徴情報と、を関連付けた顔特徴対応テーブルと、ユーザ属性情報と広告データとを関連付けた広告対応テーブルと、を備えると共に、ユーザの顔画像情報を取得する顔画像取得部と、顔画像取得部にて取得した顔画像情報から当該顔画像情報の特徴を表す顔特徴情報を抽出し、この抽出した顔特徴情報に対応するユーザ属性情報を、顔特徴対応テーブルに基づいて特定するユーザ認証部と、ユーザ認識部にて特定したユーザ属性情報に対応する広告データを、広告テーブルから抽出してユーザの情報処理端末に配信する広告配信部と、を備えた広告配信装置。【選択図】図１
2009186630.tif 000002
【特許請求の範囲】
【請求項１】
ネットワークを介して接続されたユーザの情報処理端末に広告データを配信する広告配信装置であって、
予め設定されたユーザ属性情報と、顔画像情報から抽出される顔特徴情報と、を関連付けた顔特徴対応テーブルと、
前記ユーザ属性情報と広告データとを関連付けた広告対応テーブルと、を備えると共に、
前記ユーザの顔画像情報を取得する顔画像取得部と、
前記顔画像取得部にて取得した前記顔画像情報から当該顔画像情報の特徴を表す顔特徴情報を抽出し、この抽出した顔特徴情報に対応する前記ユーザ属性情報を、前記顔特徴対応テーブルに基づいて特定するユーザ認証部と、
前記ユーザ認識部にて特定した前記ユーザ属性情報に対応する広告データを、前記広告テーブルから抽出して前記ユーザの情報処理端末に配信する広告配信部と、
を備えることを特徴とする広告配信装置。
【請求項２】
前記ユーザ属性情報は、ユーザの人体属性を含む、
ことを特徴とする請求項１記載の広告配信装置。
【請求項３】
前記ユーザ属性情報は、ユーザの性別属性と、年代属性と、を含む、
ことを特徴とする請求項１及び２記載の広告配信装置。
【請求項４】
ユーザの顔画像情報から抽出される顔特徴情報と、当該ユーザのユーザ属性情報と、を関連付けたユーザ情報記憶手段を備え、
前記ユーザ認識部は、前記顔画像取手段にて取得した前記顔画像情報から抽出した顔特徴情報が前記ユーザ情報記憶部に存在するか否かを判断し、存在する場合には、その顔特徴情報に関連付けられた前記ユーザ情報記憶手段内の前記ユーザ属性を特定する、
ことを特徴とする請求項１，２及び３記載の広告配信装置。
【請求項５】
前記顔画像取得部は、テレビ電話である前記ユーザの情報処理端末に装備されたカメラにて取得された前記ユーザの顔画像情報をネットワークを介して取得し、
前記広告配信部は、前記テレビ電話の表示部に前記広告データを出力するよう当該広告データを前記情報処理端末に配信する、
ことを特徴とする請求項１，２，３及び４記載の広告配信装置。
【請求項６】
広告配信装置に、
ユーザの情報処理端末からネットワークを介して、ユーザの顔画像情報を取得する、顔画像取得手段と、
前記顔取得手段が取得した前記顔画像情報から当該顔画像情報の特徴を表す顔特徴情報を抽出し、予め設定されたユーザ属性情報と、顔画像情報から抽出される顔特徴情報と、を関連付けた顔特徴対応テーブルから前記抽出した顔特徴情報に対応する前記ユーザ属性情報を抽出するユーザ認証手段と、
前記ユーザ認証手段にて特定した前記ユーザ属性情報に対応する広告データを、予め設定されたユーザ属性情報と、広告データと、を関連付けた広告対応テーブルから抽出して前記ユーザの情報処理端末に配信する広告配信手段と、
を実現するためのプログラム。
【請求項７】
前記ユーザ属性情報は、ユーザの人体属性を含む、
ことを特徴とするための請求項６記載のプログラム。
【請求項８】
ネットワークを介して接続されたユーザの情報処理端末に広告データを配信する広告配信方法であって、
前記ユーザの顔画像情報を取得する顔画像取得工程と、
前記顔画像取得部にて取得した前記顔画像情報から当該顔画像情報の特徴を表す顔特徴情報を抽出し、予め設定されたユーザ属性情報と、顔画像情報から抽出される顔特徴情報と、を関連付けた顔特徴対応テーブルから前記抽出した顔特徴情報に対応するユーザ属性情報を抽出するユーザ認証工程と、
前記ユーザ認証工程にて特定した前記ユーザ属性情報に対応する広告データを、予め予め設定されたユーザの属性情報と、広告データと、を関連付けた広告対応テーブルから抽出して前記ユーザの情報処理端末に配信する広告配信工程と、
を有することを特徴とする広告配信方法。
【請求項９】
前記ユーザ属性情報は、ユーザの人体属性を含む、
ことを特徴とする請求項８記載の広告配信方法。
【発明の詳細な説明】
【技術分野】
【０００１】
本発明は、広告配信装置にかかり、特にネットワークを介してユーザの端末に広告を配信する広告配信装置に関する。
【背景技術】
【０００２】
近年、配信している広告をより効果的に活用するため、ユーザの嗜好に適した広告をユーザの情報処理端末毎に配信する様々な方法が提案されている。
【０００３】
例えば、予め登録されたユーザ情報に基づいてユーザ端末に広告を配信する技術がある。この様なシステムでは、まずユーザは、年齢、性別、及び趣味などの情報をユーザ情報として例えば広告配信システムに登録保存する。そして、広告配信システムはユーザ情報に基づきユーザに適した広告を配信する。
【０００４】
さらに、特許文献１では、ユーザの顔情報を用いてテレビを閲覧しているユーザに対して広告を配信する技術を開示している。具体的には、まずユーザは、顔画像情報と、ユーザの嗜好を示すユーザ情報と、を関連付けて登録する。そして、ユーザがテレビを閲覧する際にユーザの顔画像をテレビが備えるカメラ部で再度取得し、取得した顔画像情報と、登録してある顔画像情報と、の認証をおこない、ユーザ情報を登録しているユーザを特定する。
【０００５】
次に、上記ユーザ認識手段により特定したユーザの予め登録しているユーザ情報から、ユーザの趣味などの嗜好データを抽出する。そして、この抽出したユーザの嗜好データに基づいた広告の配信を要求する。広告配信装置は、広告配信の要求に従い、ユーザが閲覧しているテレビの表示部にユーザの嗜好に適した広告を配信する。
【０００６】
【特許文献１】特開２００７−２７４２４６号公報
【発明の開示】
【発明が解決しようとする課題】
【０００７】
しかしながら、上記特許文献１に開示の技術では、事前にユーザのユーザ情報と、ユーザの顔情報を登録しなくてはならない。この為、ユーザは自己の嗜好に適した興味のある広告を受信する際に煩雑な登録操作を行わなければならない、という問題があった。一方で、予めユーザ情報を登録していない場合には、ユーザに適した広告の配信することが出来ず広告主は効果的な広告配信が出来ない。
【０００８】
このため、本発明では、広告配信を受けるユーザの操作の煩雑性を解消すると共に広告配信の効率化を目的とする。
【課題を解決するための手段】
【０００９】
ネットワークを介して接続されたユーザの情報処理端末に広告データを配信する広告配信装置であって、
予め設定されたユーザ属性情報と、顔画像情報から抽出される顔特徴情報と、を関連付けた顔特徴対応テーブルと、
ユーザ属性情報と広告データとを関連付けた広告対応テーブルと、を備えると共に、
ユーザの顔画像情報を取得する顔画像取得部と、
顔画像取得部にて取得した顔画像情報から当該顔画像情報の特徴を表す顔特徴情報を抽出し、この抽出した顔特徴情報に対応するユーザ属性情報を、顔特徴対応テーブルに基づいて特定するユーザ認証部と、
ユーザ認識部にて特定したユーザ属性情報に対応する広告データを、広告対応テーブルから抽出してユーザの情報処理端末に配信する広告配信部と、
を備えた、という構成を採っている。
【発明の効果】
【００１０】
本発明は、以上のように構成することで、広告配信を受けるユーザの設定操作の煩雑性を解消する。また、ユーザに適した広告データを配信することが出来るため、広告配信の効率化を図ることができる、という優れた効果を有する。
【発明を実施するための最良の形態】
【００１１】
ネットワークを介して接続されたユーザの情報処理端末に広告データを配信する広告配信装置であって、
予め設定されたユーザ属性情報と、顔画像情報から抽出される顔特徴情報と、を関連付けた顔特徴対応テーブルと、
ユーザ属性情報と広告データとを関連付けた広告対応テーブルと、を備えると共に、
ユーザの顔画像情報を取得する顔画像取得部と、
顔画像取得部にて取得した顔画像情報から当該顔画像情報の特徴を表す顔特徴情報を抽出し、この抽出した顔特徴情報に対応するユーザ属性情報を、顔特徴対応テーブルに基づいて特定するユーザ認証部と、
ユーザ認識部にて特定したユーザ属性情報に対応する広告データを、広告対応テーブルから抽出してユーザの情報処理端末に配信する広告配信部と、
を備えた、という構成を採る。
【００１２】
上記発明によると、予め広告配信装置の記憶装置は予め設定されたユーザ属性情報と顔画像から抽出される顔特徴情報とを関連付けた顔特徴対応テーブルと、予め設定されたユーザ属性情報と広告データとを関連付けた広告対応テーブルと、を記憶している。
【００１３】
そして、カメラ部と、表示部と、を備えたテレビ電話などの、ネットワークを介して通信可能な情報処理端末の備えるカメラ部がユーザの顔を撮影する。すると、広告配信装置の顔画像取得手段は、ネットワークを介してユーザの情報処理端末から顔画像情報を取得する。
【００１４】
次に、顔画像取得手段から顔画像情報を取得したユーザ認識手段は、取得した顔画像情報から当該顔画像情報の特徴を表す顔特徴情報を抽出する。そして、ユーザ認識手段は、この抽出した顔特徴情報に対応するユーザ属性情報を、予め設定している顔特徴対応テーブルに基づいて特定する。次に、広告配信手段は、この特定したユーザ属性情報に対応する広告データを広告対応テーブルから抽出し、抽出した広告データを、ネットワークを介して接続されたユーザの情報処理端末に配信する。
【００１５】
これにより、ユーザの顔画像を取得した広告配信装置が、顔画像から自動的にユーザ属性を特定して、これに応じた広告を配信する。従って、ユーザは何ら登録などの操作をすることなく自分に合った広告を受信することができる。その結果、ユーザ情報登録の設定操作の煩雑性を省き、ユーザに応じた広告を配信することで広告配信の効率化を図ることができる。
【００１６】
さらに、上記構成に加えユーザ属性情報は、ユーザの人体属性を含む、という構成を採っている。
【００１７】
上記発明によると、ユーザから顔画像情報を取得することで、ユーザの人体属性を特定することが可能となり、よりユーザに適した広告を配信することができる。従って、ユーザによるユーザ情報を登録する操作の煩雑性を省くことが出来ると共に、広告効率の更なる向上を図る。
【００１８】
さらに、上記構成に加えユーザ属性情報は、ユーザの性別属性と、年代属性と、を含む、という構成を採っている。
【００１９】
上記発明によると、広告配信装置は、ユーザから取得した顔画像情報を基に、広告配信対象者であるユーザの性別と、年代と、を特定することが出来る。
【００２０】
これにより、広告配信装置は、ユーザによるユーザ情報の煩雑な登録操作を省きつつ、ユーザの性別属性情報と、年代属性情報と、を取得することが出来る。これに基づき、広告配信装置は、情報処理端末毎へユーザに適した広告を配信することが可能となる。従って、ユーザは自己に適した広告の配信を受けることができ、一方、広告主は効果的に広告を配信することができる。
【００２１】
また、本発明である広告配信装置は、ユーザの顔画像情報から抽出される顔特徴情報と、当該ユーザのユーザ属性情報と、を関連付けたユーザ情報記憶手段を備え、
ユーザ認識部は、顔画像取手段にて取得した顔画像情報から抽出した顔特徴情報がユーザ情報記憶部に存在するか否かを判断し、存在する場合には、その顔特徴情報に関連付けられたユーザ情報記憶手段内の前記ユーザ属性を特定する、という構成を採っている。
【００２２】
上記発明によると、まず、広告配信装置は、ユーザによりユーザの性別、年代、及び趣味などのユーザ属性情報と、ユーザの顔画像情報から抽出された顔特徴情報と、を関連付けしてユーザ情報記憶部に予め保存している。
【００２３】
そして、ユーザが、ユーザの情報処理端末にてネットワークに接続し広告配信装置と通信する場合には、ユーザの顔画像情報をユーザの情報処理端末が備えるカメラ部で撮影し、広告配信装置はネットワークを介して当該顔画像情報を取得する。この取得した顔画像情報から当該広告配信装置は、当該顔画像情報の特徴を表す顔特徴情報を抽出する。
【００２４】
次に広告配信装置は、この抽出した顔特徴情報と、予め保存している顔特徴情報と、が一致するかを判断する。一致した場合に広告配信装置は、顔特徴情報と関連付けて登録されているユーザ属性情報を特定し取得する。そして、上述同様に、この特定したユーザ属性情報に対応する広告を送信する。
【００２５】
このことから、広告配信装置は、ユーザの嗜好により適した広告を配信することが可能となり、広告効率の向上を図ることができる。
【００２６】
また、本発明である広告配信装置は、顔画像取得部は、テレビ電話であるユーザの情報処理端末に装備されたカメラにて取得されたユーザの顔画像情報をネットワークを介して取得し、
広告配信部は、テレビ電話の表示部に広告データを出力するよう当該広告データを情報処理端末に配信する、という構成を採っている。
【００２７】
上記発明から、広告配信装置は、テレビ電話が備えるカメラ部にてユーザの顔を撮影し、当該テレビ電話がネットワークを介して送信したユーザの顔画像情報を取得する。また、上記広告配信装置は、上記テレビ電話が備える表示部へユーザに適した広告データを出力するように配信する。
【００２８】
これにより、ユーザの情報処理端末毎に広告配信をおこなうことで、ユーザが広告を目にする機会が増すため、広告配信の効率化を図ることが出来る。
【００２９】
また、本発明の他の形態であるプログラムは、
広告配信装置に、
ユーザの情報処理端末からネットワークを介して、ユーザの顔画像情報を取得する、顔画像取得手段と、
顔取得手段が取得した顔画像情報から当該顔画像情報の特徴を表す顔特徴情報を抽出し、予め設定されたユーザ属性情報と、顔画像情報から抽出される顔特徴情報と、を関連付けた顔特徴対応テーブルから抽出した顔特徴情報に対応するユーザ属性情報を抽出するユーザ認証手段と、
ユーザ認証手段にて特定したユーザ属性情報に対応する広告データを、予め設定されたユーザ属性情報と、広告データと、を関連付けた広告対応テーブルから抽出してユーザの情報処理端末に配信する広告配信手段と、を実現させる、という構成を採っている。
【００３０】
さらに、上記構成に加えユーザ属性情報は、ユーザの人体属性を含む、ことを実現させる、という構成を採っている。
【００３１】
また、本発明の他の形態である広告配信方法は、ネットワークを介して接続されたユーザの情報処理端末に広告データを配信する広告配信方法であって、
ユーザの顔画像情報を取得する顔画像取得工程と、
顔画像取得部にて取得した顔画像情報から当該顔画像情報の特徴を表す顔特徴情報を抽出し、予め設定されたユーザ属性情報と、顔画像情報から抽出される顔特徴情報と、を関連付けた顔特徴対応テーブルから抽出した顔特徴情報に対応するユーザ属性情報を抽出するユーザ認証工程と、
ユーザ認証工程にて特定したユーザ属性情報に対応する広告データを、予め予め設定されたユーザの属性情報と、広告データと、を関連付けた広告対応テーブルから抽出してユーザの情報処理端末に配信する広告配信工程と、を有する構成を採る。
【００３２】
さらに、上記構成に加えユーザ属性情報は、ユーザの人体属性を含む、という構成を採る。
【００３３】
上述した構成のプログラム及び、広告配信方法であっても、上記広告配信装置と同様の作用をする為、上述した本発明の目的を達成することが出来る。以下、本発明の具体的な構成及び動作を各実施形態にて説明する。なお、本発明の実施形態においてテレビ電話を例示して説明するが、これに限られない。例えば、ＰＤＡや、携帯電話や、ポータブルゲーム機など、ネットワークに接続して通信可能ないかなる情報処理端末であってもよい。
【００３４】
＜実施形態１＞
本発明の第１の実施形態を、図１乃至図７を参照して説明する。図１は広告配信装置１の構成を示すブロック図である。図２は、顔画像取得部２の動作を示すフローチャートである。図３は、ユーザ認識部３の動作を示すフローチャートである。図４は、顔特徴対応テーブルである。図５は、広告抽出部４の動作を示すフローチャートである。図６は、広告対応テーブルである。図７は、広告配信部５の動作を示すフローチャートである。
【００３５】
［構成］
図１は、ユーザに適した広告の配信をおこなう広告配信装置１である。この広告配信装置１は、広告配信装置１内の記憶装置内に顔特徴対応テーブル記憶部６と、広告対応テーブル記憶部７と、を有している。さらに、広告配信装置１は、ＣＰＵに所定のプログラムが組み込まれることによって構築されている顔画像取得部２と、ユーザ認識部３と、広告抽出部４と、広告配信部５と、を備える。
【００３６】
また、広告配信装置１とネットワークを介して接続されたユーザの情報処理端末であるテレビ電話９は、ユーザの顔画像を撮影するカメラ部１１と、広告を表示する表示部１２と、を備える。
【００３７】
上記顔特徴対応テーブル記憶部６は、予め設定されたユーザ属性情報と、統計的に顔画像情報から抽出される顔特徴情報と、を関連付けた顔特徴対応テーブルを記憶する、データベースである。
【００３８】
なお、上記顔特徴対応テーブルを図４に示す。この顔特徴対応テーブルには、顔画像情報から抽出された顔特徴情報が、予め設定されたユーザ属性情報として性別属性と、年代属性と、に関連付けされて記憶されている。
【００３９】
例えば、顔特徴情報として目尻の高さや、しわの数などを抽出する。これらの顔特徴情報を統計的に年代と関連付けしてユーザの年代を示す年代属性を予め設定する。また、顔の輪郭など、顔画像情報において性差がある顔特徴情報と、性別と、を関連付けしてユーザの性別を示す性別属性を予め設定する。また、顔画像情報の目や耳などの部位を示す顔特徴情報と、メガネなどの装飾具と、を関連付けしておくことで装飾具属性を予め設定することも可能である。
【００４０】
なお、図４に示す顔特徴対応テーブルに設定している顔特徴情報は、顔画像情報から抽出されるいかなる顔特徴情報であってもよい。また、上述した顔特徴情報と、各ユーザ属性と、の関連付けは上記記載事項に限られない。顔特徴情報に関連するいかなる属性情報であってもよい。つまり、顔特徴情報と、属性と、を詳細に関連付けして顔特徴対応テーブルに設定することで、よりユーザに適した広告の配信が可能となる。
【００４１】
次に、上記広告対応テーブル記憶部７は、上記顔特徴対応テーブル記憶部６に記憶しているユーザ属性情報と、配信する広告データと、を関連付けた広告対応テーブルを記憶している。また、広告対応テーブル記憶部７は、広告属性に該当する広告データを保存するデータベースである。
【００４２】
上記広告対応テーブルを図６に示す。例えば、図６に示すようにユーザ属性が「２０代の女性」に対して、ファッションの広告属性を設定しており、洋服や、靴や、鞄といったファッションに関係する広告データが抽出される。また、ユーザ属性として装飾具属性が「耳飾り」に対しては、アクセサリーの広告属性を設定しており、例えば宝石店の広告データなどが抽出される。
【００４３】
なお、広告対応テーブル記憶部７に予め設定しているユーザ属性情報と、配信する広告属性と、の関係は図６に示すものに限られない。つまり、いかなる広告属性であってもよく随時設定変更することが可能であってもよい。これにより、ユーザの年代や、性別や、流行などに、より柔軟に対応した広告配信をすることが可能となる。
【００４４】
次に、顔画像情報取得部２は、例えば、テレビ電話９が備えるカメラ部１１にて撮影され、当該テレビ電話９からネットワークを介して送信されたユーザの顔画像情報を取得する。また、顔画像情報取得部２は、顔画像情報を取得すると同時に、顔画像情報を送信した送信元であるテレビ電話９のアドレス情報を取得する。このアドレス情報とは、例えばユーザが使用するテレビ電話９のネットワーク上の場所を一意に識別出来るＩＰアドレスなどの情報を表す。次に、顔画像情報取得部２は、この取得した顔画像情報と、アドレス情報と、をユーザ認識部３に渡す。
【００４５】
上記顔画像情報取得部２から顔画像情報を受け取ったユーザ認識部３は、取得した顔画像情報から当該顔画像情報の特徴を表す顔特徴情報を抽出する。そして、ユーザ認識部３は、抽出した顔特徴情報に対応するユーザ属性情報を、上述した顔特徴対応テーブルに基づいて特定する。ユーザ属性情報を特定したユーザ認識部３は、この特定したユーザ属性情報を取得して、当該取得したユーザ属性情報と、上記顔画像情報取得部２から取得したアドレス情報と、を広告抽出部４へ渡す。
【００４６】
次に、広告抽出部４は、上記ユーザ認識部３よりテレビ電話９のアドレス情報と、ユーザ属性情報と、を受け付ける。そして、広告抽出部４は、受け付けたユーザ属性情報に該当する広告データを上述した広告対応テーブルから抽出する。この抽出した広告データと、受け付けたテレビ電話９のアドレス情報と、を広告配信部５に渡す。
【００４７】
上記広告抽出部４から広告データと、テレビ電話９のアドレス情報と、を広告配信部５が取得する。広告配信部５は、取得したアドレス情報のテレビ電話９に、取得した広告データを、ネットワークを介してテレビ電話９の表示部１２に表示するように配信する。
【００４８】
［動作］
次に、図２を参照して顔画像取得部２の動作を説明する。まず、ユーザがネットワークに接続し通信をする際に、テレビ電話９が備えているカメラ部１１によりユーザの顔画像を撮影する。この撮影されたユーザの顔画像情報を、ネットワークを介して顔画像取得部２が取得する。また、ユーザの顔画像情報を取得する際に、顔画像情報の送信元であるテレビ電話９のアドレス情報も同時に取得する（ステップＳ１、顔画像取得工程）。そして、顔画像取得部２は、上記取得したユーザの顔画像情報と、テレビ電話９のアドレス情報と、を顔認識部３へ渡す（ステップＳ２）。
【００４９】
次に、図３を参照してユーザ認識部３の動作を説明する。上記顔画像取得部２からユーザの顔画像情報と、ユーザ端末であるテレビ電話９のアドレス情報と、を取得する（ステップＳ１１）。次に、ユーザ認識部３は、取得した顔画像情報から当該顔画像情報の特徴を表す顔特徴情報を抽出する（ステップＳ１２）。なお、当該顔画像情報の顔特徴情報の抽出は、周知の技術により顔画像情報から顔特徴情報を抽出する。例えば、統計的及び、数学的に顔画像情報より顔特徴情報を抽出する。
【００５０】
そして、ユーザ認識部３は、この抽出した顔特徴情報に対応するユーザ属性情報を上述した顔特徴対応テーブルに基づいて特定するため、当該顔特徴情報と、顔特徴対応テーブルと、の照合をおこなう（ステップＳ１３、ユーザ認証工程）。ユーザ認識部３は、顔特徴対応テーブルに基づいてユーザ属性情報を特定すると共に、ユーザ属性情報を取得する（ステップＳ１４）。
【００５１】
上述したように顔特徴対応テーブルは図４に示す通りである。ユーザ認識部３が抽出した顔特徴情報が、図４に示す顔特徴対応テーブルの判断基準である顔特徴情報のいずれかに該当することで、ユーザ属性情報が特定する。
【００５２】
例えば、ユーザ認識部３が抽出した顔特徴情報が顔特徴対応テーブルの判断基準である顔特徴情報１に該当した場合には、性別属性が女性であり、年代属性が１０代であると特定される。
【００５３】
そして、ユーザ属性情報を取得したユーザ認識部３は、取得したユーザ属性情報と、テレビ電話９のアドレス情報と、を広告抽出部４へ渡す（ステップＳ１５）。
【００５４】
次に、図５を参照して広告抽出部４の動作を説明する。上述したように、ユーザ認識部３から、ユーザ端末であるテレビ電話９のアドレス情報と、ユーザの属性情報と、を取得する（ステップＳ２１）。そして、広告抽出部４は、広告対応テーブル記憶部７に記憶している広告対応テーブルから取得したユーザ属性情報に対応する広告属性の広告データを抽出する（ステップＳ２２）。
【００５５】
なお、ユーザ属性と、広告属性と、広告データと、の関係は上述したように図６に示すとおりである。例えば、「２０代男性であって、装飾具としてメガネを着用している」というユーザ属性情報を取得した場合、対応する広告属性情報として、車及びメガネが設定されている。また、広告対応テーブル記憶部７は、この設定されている広告属性に関係する広告データも広告対応テーブル記憶部７に記憶している。この為、上記メガネを着用した２０代男性に適当な広告として、車に関する広告データ及びメガネに関する広告データなどが抽出される。
【００５６】
そして、上記広告抽出部４は広告対応テーブル記憶部７から広告データを抽出した後、広告データを取得する（ステップＳ２３）。広告データを取得した広告抽出部４は、取得した広告データと、ユーザ端末であるテレビ電話９のアドレス情報と、を広告配信部５に渡し、アドレス情報のテレビ電話９に広告データの配信を要求する（ステップＳ２４）。
【００５７】
次に図７を参照して広告配信部５の動作を説明する。当該広告配信部５は、上記広告抽出部４が抽出して取得した広告データと、テレビ電話９のアドレス情報と、を取得する（ステップＳ３１）。そして、広告配信部５は、取得したアドレス情報元のテレビ電話９にネットワークを介して当該テレビ電話９が備える表示部１２に、広告データを出力するように広告データを配信する（ステップＳ３２、広告配信工程）。
【００５８】
上記実施形態１のように、顔特徴対応テーブル記憶部６に顔特徴対応テーブルを予め設定することで、ユーザの人体属性を自動的に広告配信装置１は、判別することが出来る。また、広告対応テーブル記憶部７に、ユーザの属性と、広告属性と、を関連付けした広告対応テーブルを予め設定することで、ユーザに適した広告データをユーザ端末毎に配信することが出来る。このことから、ユーザは、ユーザ情報設定操作の煩雑性を省くことが出来ると共に、広告主は、ユーザに適した広告配信をすることにより広告配信の効率化を図ることができる。
【００５９】
＜実施形態２＞
次に、本発明の第２の実施形態について図８及び図９を参照して説明する。図８は、上述した広告配信装置１の記憶装置内にユーザ情報記憶部８が加わった広告配信装置１０の構成を示すブロック図である。また、図９は、ユーザ情報記憶部８が加わった場合における広告配信装置１０のユーザ認識部３の動作を示すフローチャートである。
【００６０】
なお、上述した実施形態１と実施形態２との差異は、広告装置の記憶装置内が、ユーザ情報記憶部８を備えることであり、当該実施形態２においてユーザ情報記憶部８以外の構成については、実施形態１と同様の構成を採っている。この為、実施形態２において上述した実施形態１と同様の構成部には、同じ参照符号を付すこととする。また、実施形態２における動作については、ユーザ認識部３の動作のみが実施形態１と異なるため、これ以外の動作についての説明は上述した実施形態１と同様であるため省略することとする。
【００６１】
［構成］
本発明の第２の実施形態である広告配信装置１０の構成を、図８のブロック図を参照して説明する。まず、広告配信装置１０の記憶装置は、顔特徴対応テーブル記憶部６と、広告対応テーブル記憶部７と、ユーザ情報記憶部８と、を有している。さらに、広告配信装置１０は、上述した実施形態１の広告配信装置１と同様に、ＣＰＵに所定のプログラムが組み込まれて構築されている顔画像取得部２と、ユーザ認識部３と、広告抽出部４と、広告配信部５と、を備える。
【００６２】
上記記憶装置が有するユーザ情報記憶部８には、ユーザによって、予めユーザの顔画像情報から抽出された顔特徴情報と、ユーザの嗜好などが示されたユーザ属性情報と、が関連付けされて登録している、データベースである。例えば、ユーザ情報記憶部８には、ユーザによって予めユーザの顔特徴情報と、ユーザの趣味や、年齢や、性別などのユーザ属性情報と、が関連付けして登録している。
【００６３】
［動作］
次に、図９を参照して広告配信装置１０におけるユーザ認識部３の動作を説明する。上述した実施形態１と同様に、顔画像取得部２が取得したユーザの顔画像情報と、顔画像情報の送信元であるテレビ電話９のアドレス情報と、を取得する（ステップＳ４１）。
【００６４】
そして、ユーザの顔画像情報を取得したユーザ認識部３は、取得した顔画像情報から当該顔画像情報の特徴を表す顔特徴情報を抽出する（ステップＳ４２）。なお、当該顔画像情報の顔特徴情報の抽出は、上述した実施形態１と同様に周知の技術により顔画像情報から顔特徴情報を抽出する。
【００６５】
次に、顔特徴情報を抽出したユーザ認識部３は、ユーザ情報記憶部８に取得したユーザの顔特徴情報が予め登録保存しているかを確認する。そして、ユーザ情報記憶部８に取得したユーザの顔特徴情報が登録している場合には、ユーザ情報記憶部８から顔特徴情報と関連付けされて保存されているユーザ属性情報を取得する（ステップＳ４３でイエス、ステップＳ４４）。
【００６６】
一方、上記ユーザ情報記憶部８に取得したユーザの顔画像情報の登録がされていない場合には、顔特徴対応テーブルとの照合をおこなう。つまり、当該抽出した顔特徴情報に対応するユーザ属性情報を、顔特徴対応テーブル記憶部６に予め設定している顔特徴対応テーブルに基づいて特定するため、抽出した顔特徴情報と、顔特徴対応テーブルと、の照合をおこなう（ステップＳ４３でノー、ステップＳ４４）。
【００６７】
上述した実施形態１と同様にユーザ認識部３は、顔特徴テーブルとの照合をおこない上記顔特徴対応テーブルに基づいてユーザ属性情報を特定すると共に、ユーザ属性情報を取得する（ステップＳ４７）。
【００６８】
これにより、実施形態２における広告配信装置１０のユーザ認識部３は、ユーザ情報記憶部８又は顔特徴対応テーブル記憶部６のどちらからでも、顔特徴情報に対応するユーザ属性情報を取得することができる。ユーザ属性情報を取得したユーザ認識部３は、取得したユーザ属性情報と、テレビ電話９のアドレス情報と、を広告抽出部４へ渡す。以後の動作は、上述した実施形態１と同様であるため説明を省く。
【００６９】
以上のことから、予めユーザによってユーザ属性情報が登録設定している場合には、ユーザ自ら登録しているユーザ属性情報に基づいて、広告データの抽出及び配信をおこなう。これにより、広告主はユーザの嗜好により適した広告配信を行うことが出来る。また、ユーザによって予めユーザの属性情報が設定登録されていない場合であっても、上述したように広告配信装置が自動的にユーザ属性を判断することにより、ユーザに適した広告を配信することが出来る。
【産業上の利用可能性】
【００７０】
本発明は、ネットワークを介して接続されたテレビ電話による通信に限られず、ＰＤＡや、携帯電話など、ネットワークを介して接続し通信が可能ないかなる情報処理端末にも利用することが可能である。このため、産業上利用可能性を有する。
【図面の簡単な説明】
【００７１】
【図１】広告配信装置の構成を示すブロック図。
【図２】顔画像取得部の動作を示すフローチャート。
【図３】ユーザ認証部の動作を示すフローチャート。
【図４】顔特徴対応テーブル。
【図５】広告抽出部の動作を示すフローチャート。
【図６】広告対応テーブル。
【図７】広告配信部の動作を示すフローチャート。
【図８】広告配信装置の構成を示すブロック図。
【図９】実施形態２におけるユーザ認識部の動作を示すフローチャート。
【符号の説明】
【００７２】
１  広告配信装置
２  顔画像取得部
３  ユーザ認識部
４  広告抽出部
５  広告配信部
６  顔特徴対応テーブル記憶部
７  広告対応テーブル記憶部
８  ユーザ情報記憶部
９  ユーザ情報処理端末
１０  広告配信装置
１１  カメラ部
１２  表示部
【図１】
2009186630.tif 000003
【図２】
2009186630.tif 000004
【図３】
2009186630.tif 000005
【図４】
2009186630.tif 000006
【図５】
2009186630.tif 000007
【図６】
2009186630.tif 000008
【図７】
2009186630.tif 000009
【図８】
2009186630.tif 000010
【図９】
2009186630.tif 000011